(57)【要約】【課題】乗員に運転意思がある場合にのみ自動でエンジンを始動させることができると共に、ドアロックの解除を行うことができる。【解決手段】自動車の車体の外周部に間隔をあけて取り付けられ、該自動車へ近接する乗員１２の所持する携帯機５０からの信号を順次受信する複数の室外アンテナと、室内の所要箇所に取り付けられ携帯機からの信号を順次受信する室内アンテナと、制御ユニット４０を備え、制御ユニット４０は、携帯機の信号から乗員の自動車への近接経路を判別すると共に運転席への着座経路を判別する処理部４２と、予め乗員の自動車への近接経路パターンＰと着座経路パターンＱとを記憶する記憶部４３と、乗員の近接経路が前記記憶部４３に記憶された近接経路パターンＰおよび着座経路パターンＱと同一であると判定した場合に、ドアロックの自動解除とエンジン５３の始動信号をエンジン始動機構５１へ発信する信号送信部４４とを備えている。【選択図】図３
2008190457.tif 000002
【特許請求の範囲】
【請求項１】
自動車の車体の外周部に間隔をあけて取り付けられ、該自動車へ近接する乗員の所持する携帯機からの信号を順次受信可能とした複数の室外アンテナと、
自動車の室内の所要箇所に取り付けられ、前記乗員が所持する携帯機からの信号を順次受信可能とした室内アンテナと、
前記室外アンテナと室内アンテナと接続されると共に車内に搭載される制御ユニットを備え、
該制御ユニットは、
前記室外アンテナで順次受信した信号から乗員の自動車への近接経路を判別すると共に室内アンテナで運転席への着座経路を判別する処理部と、
前記処理部と接続され、予め前記乗員の前記自動車への近接経路パターンと着座経路パターンとを記憶する記憶部と、
前記乗員の自動車への近接経路が前記記憶部に記憶された近接経路パターンであると認識した時にドアロック解除信号をドアロック解除機構に前記信号送信部から発信すると共に、着座経路パターンと同一であると判定した場合に、エンジンの始動信号をエンジン始動機構へ発信する信号送信部と、
を備えていることを特徴とする車両用遠隔始動装置。
【請求項２】
前記制御ユニットの記憶部で記憶する近接経路パターンおよび着座経路パターンは、予め設定可能であると共に、前記室外アンテナおよび室内アンテナによる検出信号の蓄積により自動的に設定および変更されるものである請求項１に記載の車両用遠隔始動装置。
【請求項３】
前記携帯機は、キーレスエントリーシステムのカードキーである請求項１または請求項２に記載の車両用遠隔始動装置。
【請求項４】
前記制御ユニットの記憶部は、複数の異なるＩＤを有する前記カードキー毎に近接経路パターンおよび着座経路パターンを記憶している請求項３に記載の車両用遠隔始動装置。
【請求項５】
前記携帯機は前記カードキーとともに所持される携帯電話あるいはＩＣカード化した運転免許証を含み、前記携帯電話あるいはＩＣカード化した運転免許証からなる乗員を特定し、各乗員毎に前記近接経路パターンおよび着座経路パターンが前記制御ユニットの記憶部に記憶されている請求項３または請求項４に記載の車両用遠隔始動装置。
【発明の詳細な説明】
【技術分野】
【０００１】
本発明は、車両用遠隔始動装置に関し、詳しくは、乗員の行動パターンを認識して運転が開始されると判断した場合に、ドアロック解除とエンジンの始動を自動的に行えるようにするものである。
【背景技術】
【０００２】
近年、ハンズフリーで自動車のドアの施錠や開錠を自動的に行う所謂スマートエントリーシステムが実用化されている。
該スマートエントリーシステムは、例えば、特開２００３−２６９０２３号公報（特許文献１）においては、車両の使用者が所持する携帯機と、車両に設置された本体機とを有する構成が開示されている。該システムでは、使用者が携帯機を所持して車両に近づきドアノブに手を差し入れると、本体機は手が差し入れられたことを感知してリクエスト信号を携帯機に送信し、該リクエスト信号を受信した携帯機はアンサー信号を本体機に送信し、リクエスト信号とアンサー信号により携帯機と本体機の認証コードの照合を行い、各信号の認証コードが一致していれば、本体機は車両ドアの開錠の動作を行っている。
【０００３】
【特許文献１】特開２００３−２６９０２３号公報
【発明の開示】
【発明が解決しようとする課題】
【０００４】
しかし、スマートエントリーシステムはドアの施錠または開錠を自動的に行うだけであり、乗員が運転席に座ったときにエンジンの始動までを行うものではない。このため、ドアは遠隔操作により自動で開錠されても、乗員は自らエンジン始動用のボタンを押して、あるいはキー操作でエンジンを始動させなくてはならない。
【０００５】
また、スマートエントリーシステムは、携帯機が本体機との無線通信可能領域に入ったときに、携帯機と本体機がリクエスト信号とアンサー信号の送受信を行ってドアの開錠を行い、携帯機が本体機との無線通信領域に無いときにはドアの施錠を行うように設定されている場合がある。
このようなスマートエントリーシステムでは、例えば、住宅の玄関が駐車場と近く、玄関付近が本体機との無線通信領域である場合には、乗員が携帯機を所持して玄関を出入りするたびに、乗車の意思がなくてもドアの開錠施錠が繰り返されることとなり、バッテリを無駄に消費する問題がある。
【０００６】
本発明は、前記問題に鑑みてなされたもので、乗員に運転意思がある場合にのみ自動でエンジンを始動させることができると共に、ドアロックの解除を行うことができる車両用遠隔始動装置を提供することを課題としている。
【課題を解決するための手段】
【０００７】
前記課題を解決するため、本発明は、
自動車の車体の外周部に間隔をあけて取り付けられ、該自動車へ近接する乗員の所持する携帯機からの信号を順次受信可能とした複数の室外アンテナと、
自動車の室内の所要箇所に取り付けられ、前記乗員が所持する携帯機からの信号を順次受信可能とした室内アンテナと、
前記室外アンテナと室内アンテナと接続されると共に車内に搭載される制御ユニットを備え、
該制御ユニットは、
前記室外アンテナで順次受信した信号から乗員の自動車への近接経路を判別すると共に室内アンテナで運転席への着座経路を判別する処理部と、
前記処理部と接続され、予め前記乗員の前記自動車への近接経路パターンと着座経路パターンとを記憶する記憶部と、
前記乗員の自動車への近接経路が前記記憶部に記憶された近接経路パターンであると認識した時にドアロック解除信号をドアロック解除機構に前記信号送信部から発信すると共に、着座経路パターンと同一であると判定した場合に、エンジンの始動信号をエンジン始動機構へ発信する信号送信部と、
を備えていることを特徴とする車両用遠隔始動装置を提供している。
【０００８】
自宅や職場の駐車場など、定期的、日常的に使用する駐車場に自動車を駐車している場合、乗員は自動車を運転する際に、通常、同じ経路を通って自動車へ近接する。
例えば、自宅の玄関から玄関脇にある駐車場まで、駐車場の位置やスペースの点から自動車への近接経路はほぼ決まっており、毎回異なる経路を通って自動車に辿り着くことは殆どない。また、自動車に乗車しない場合には、この近接経路を通らず自動車の側方や前方を通過するだけとなる。
このため、乗員が所定の近接経路で自動車に近接した場合には、乗員に自動車の運転意思があるものとすることができる。
【０００９】
また、乗員が運転するためには運転席に着座するが、運転席側のドアから直接運転席に着座する場合や、大型車などのように運転席に直接着座するのではなく、助手席から乗り込んで自動車室内を移動して運転席に着座する場合がある。着座経路として、運転席への直接の着座かもしくは助手席等から運転席への着座かは、自動車の車種などや駐車場での駐車位置などによりほぼ決まるため、乗員が所定の着座経路で運転席に着座した場合には、乗員に運転の意思があるものとできる。
【００１０】
前記のような乗員の行動パターンを考慮して本発明はなされたもので、乗員が所持するカードキー等の携帯機の信号を受信するアンテナを自動車に取り付け、所定の行動パターンであることを認識した時にドアのロック解除とエンジンの始動を自動で行うものとしている。
即ち、自動車の外周部に取り付けた複数の室外アンテナは乗員の所持する携帯機の信号を受信し、乗員が自動車の一側を移動すると、携帯機の信号を受信するアンテナも変化していくため、乗員の自動車への近接経路を検知することができる。さらに、自動車の室内に設けた室内アンテナで携帯機の信号を受信して、乗員の着座経路を検知することができる。
車両用遠隔始動装置の記憶部に乗員の自動車への近接経路パターンと着座経路パターンを予め記憶しており、検出した近接経路や着座経路が予め定めた近接経路パターンであるとドアロックを自動解除し、かつ、記憶した着座経路パターンと一致する場合には、乗員に自動車の運転意思があると判断し、エンジンを自動で始動させている。
このように、乗員は自らドアロックを解除する必要がないと共に、イグニッションキーやボタン等を操作してエンジンを始動させる必要がないため、操作の手間を省くことができる。
【００１１】
なお、記憶部に記憶した近接経路パターンもしくは着座経路パターンと異なる経路で自動車に近接し、着座した場合には、乗員はイグニッションキーやボタン等を操作してエンジンを始動させる。
【００１２】
また、近接経路パターンおよび着座経路パターンを複数パターンで記憶部に記憶していてもよい。
自宅または職場など異なった駐車場に日常的に自動車を駐車する場合には、通常使用する近接経路も複数になる。このため、記憶部に複数の近接経路パターン等を記憶させ、乗員の近接経路が記憶した複数の近接経路パターンのいずれかであれば、自動でドアロック解除とエンジンを始動させることが好ましい。
【００１３】
前記のように、乗員が近接経路パターンと同じ近接経路で自動車に近接した場合には、乗員が自動車を運転する意思があるものとして、自動でドアロックを解除している。
前述したように、携帯機が本体機との無線通信可能領域に入ったときに、携帯機と本体機が信号の送受信を行ってドアの開錠を行うように設定されている場合は自動車の運転の意思がなくてもドアロックが解除されてしまうが、本発明では無線機が無線通信可能領域にあっても近接経路パターンと乗員の近接経路が同じであり乗員に自動車の運転の意思があるときのみドアロックを解除しているので、不必要なドアロックの解除が行われることがなくバッテリを無駄に消費することがない。
【００１４】
前記制御ユニットの記憶部で記憶する近接経路パターンおよび着座経路パターンは、乗員が予め設定可能であると共に、前記アンテナによる検出信号の蓄積により自動的に設定および変更されるものであることが好ましい。
【００１５】
乗員は、前記制御ユニットに設けた操作ボタンもしくは外付けのダイアグノーシス等により、近接経路パターンおよび着座経路パターンを設定もしくは変更できるようにすることが好ましい。
また、前記のように乗員が予め設定しなくとも、アンテナの検出信号を蓄積して乗員の近接経路を学習し、近接経路を記憶部に記憶させるようにしてもよく、その場合には、近接経路が変化した場合には自動的に設定変更させることができる。
【００１６】
前記携帯機は、キーレスエントリーシステムのカードキーであってもよい。
本発明の車両用遠隔始動装置の携帯機をキーレスエントリーシステムのカードキーと共用することで、本発明の車両用遠隔始動装置用の専用の携帯機を用いる必要がなく、部品点数を削減することができる。
【００１７】
前記制御ユニットの記憶部は、複数の異なるＩＤを有する前記カードキー毎に近接経路パターンおよび着座経路パターンを記憶しているものであってもよい。
１台の自動車を複数の乗員が運転する場合、乗員ごとに異なるＩＤを有するカードキーを所持しており、また、乗員によって自動車に近接する経路は異なっている。
このため、記憶部にはカードキーごと、すなわち乗員ごとに各乗員の近接経路パターンおよび着座経路パターンを記憶しておき、カードキーの信号の受信時にＩＤも同時に受信して乗員を特定し、各乗員の近接経路パターンおよび着座経路パターンを読み出す構成とすることが好ましい。
これにより、乗員ごとに異なる近接経路および着座経路で自動車に近接しても、各乗員の近接経路および着座経路として記憶された近接経路パターンおよび着座経路パターンと、乗員の近接経路および着座経路を比較して同一か否かを判定することができる。
【００１８】
前記携帯機は前記カードキーとともに所持される携帯電話あるいはＩＣカード化した運転免許証を含み、前記携帯電話あるいはＩＣカード化した運転免許証からなる乗員を特定し、各乗員毎に前記近接経路パターンおよび着座経路パターンが前記制御ユニットの記憶部に記憶されていることが好ましい。
【００１９】
携帯機がカードキーとともに所持される携帯電話を含む場合には、前記制御ユニットは携帯電話識別アンテナを備えている。処理部は携帯電話からの信号を該携帯電話識別アンテナで受信して乗員を特定することができる。また、カードキーとアンテナとの無線通信により近接経路を検知する。
このため、処理部は記憶部に記憶された乗員ごとの近接経路パターンおよび着座経路パターンを読み出し、該近接経路パターンおよび着座経路パターンと、アンテナから検知した近接経路および着座経路を比較して同一か否かを判定することができる。
【００２０】
携帯機がカードキーとともに所持されるＩＣカード化した運転免許証を含む場合、カードキーに運転免許証の差込口が設けられており、該差込口に運転免許証を差し込むことで運転免許証のＩＤ情報をカードキーが読み取る。携帯機と前記アンテナが無線通信して近接経路の検知を行う際に、ＩＣカードに記載されたＩＤ情報も同時に送信することで、前記制御ユニットの処理部は乗員を特定することができる。このため、制御ユニットは各乗員に合わせた近接経路パターンを記憶部から読み出し、該近接経路パターンと、アンテナから検知した近接経路を比較して同一か否かを判定することができる。
【発明の効果】
【００２１】
前述したように、本発明の車両用遠隔始動装置では、乗員の行動パターンが所定の行動パターンであることを自動車の外周部に取り付けた複数の室外アンテナおよび車室内に取り付けた室内アンテナが乗員の所持する携帯機の信号を受信して検知すると、自動的にドアロックを解除し、エンジンを始動させることができ、乗員の手動操作を省くことができる。かつ、乗員が乗車して運転する場合のみドアが自動開錠されるため、単に自動車のドア側部を通過しただけ等の場合にドアの自動開錠がなされず、無駄なエネルギーの消費を削減できる。
【発明を実施するための最良の形態】
【００２２】
以下、本発明の実施形態を図面を参照して説明する。
図１乃至図７に本発明の第１実施形態を示す。
車両用遠隔始動装置１０は自動車１１の車体の外周部に取り付けた複数の室外アンテナ２０と、自動車１１の室内に取り付けた室内アンテナ３０と、該室外アンテナ２０、室内アンテナ３０と接続した制御ユニット４０を備えている。
【００２３】
図１は室外アンテナ２０の取り付け位置を示し、本実施形態では自動車１１の前方のボンネット１３内と後方のトランク１４内の中央部にそれぞれ１箇所ずつ（２０Ｄ，２０Ｉ）、前後左右のドア１５付近にそれぞれ１箇所ずつ（２０Ａ，２０Ｂ、２０Ｆ，２０Ｇ）、前後左右の車輪１６付近に夫々１箇所ずつ（２０Ｃ，２０Ｅ、２０Ｈ，２０Ｊ）、計１０個の室外アンテナ２０（２０Ａ〜２０Ｉ）を取り付けている。
各室外アンテナ２０は、それぞれの通信可能領域Ｒが隣り合う室外アンテナ２０の通信可能領域Ｒと重なるように、所定間隔を空けて取り付けている。
該室外アンテナ２０は、乗員１２が携帯機として所持しているキーレスエントリーシステムのカードキー５０からの信号を順次受信可能としている。
【００２４】
図２は室内アンテナ３０の取り付け位置を示し、本実施形態では自動車１１の室内のうち運転席、助手席付近のインスツルメントパネル１７の内部、後方左右の座席付近のピラー部内に計４つの室内アンテナ３０（３０Ｋ〜３０Ｎ）を取り付けている。各室内アンテナ３０の取り付け位置は、隣り合う室内アンテナ３０の通信可能領域Ｒがそれぞれ重なる必要はないが、乗員１２が各座席に着座した場合にカードキー５０との間で無線通信可能な位置に取り付けている。
【００２５】
制御ユニット４０はインスツルメンツパネル１７内に配置しており、図３に示すように、各室外アンテナ２０、室内アンテナ３０と接続して信号を送受信すると共に、エンジン５３を始動させるエンジン始動機構５１、ドアロック５４を解除するドアロック解除機構５２と接続している。
【００２６】
制御ユニット４０は、送受信部４１と、処理部４２と、記憶部４３と、信号送信部４４を備えている。
送受信部４１は送受信用ポートであり、各室外アンテナ２０および室内アンテナ３０と接続して信号の送受信を行っている。
記憶部４３は処理部４２と接続しており、ＲＡＭなどのメモリからなる。後述する図６（Ａ）に示す乗員１２の自動車１１への近接経路パターンＰと着座経路パターンＱとを記載した表Ｔを記憶している。また、処理部４２が検知した近接経路および着座経路を記憶して蓄積している。
【００２７】
処理部４２は送受信部４１と接続しておりＣＰＵからなる。カードキー５０からの信号を順次受信した室外アンテナ２０および室内アンテナ３０を検知して乗員１２の自動車１１への近接経路および着座経路とすると共に、記憶部４３から読み出した近接経路パターンＰおよび着座経路パターンＱと、検知した近接経路および着座経路とを比較して同一か否かを判定する。また、学習機能を有し、検知した近接経路および着座経路を元にして近接経路パターンＰおよび着座経路パターンＱの設定を変更する。
信号送信部４４はエンジン５３を始動させるエンジン始動機構５１およびドアロック５４を解除するドアロック解除機構５２と接続しており、処理部４２が記憶部４３から読み出した近接経路パターンＰおよび着座経路パターンＱと、検知した近接経路および着座経路が同一であると判定した場合に、エンジン５３の始動信号をエンジン始動機構５１へ送信し、ドアロック解除機構５２にドアロック５４の解除信号を送信している。
【００２８】
また、記憶部４３にはダイアグノーシス５５が外付けで取り付け可能としており、近接経路パターンＰおよび着座経路パターンＱをダイアグノーシス５５から記憶部４３に予め設定している。
【００２９】
次に、近接経路パターンＰおよび着座経路パターンＱのフォーマットについて説明する。
例えば、図４に示すように、自動車１１の乗員１２は、日常的に自動車１１への近接経路として、自動車１１の後方から左側方、前方を通り、また、大型車などの着座経路として助手席のドアから車内に入り運転席へ移動して乗車しているとする。
乗員１２は制御ユニット４０の記憶部に外付けしたダイアグノーシス５５に、前記自動車１１への近接経路を近接経路パターンＰ、着座経路を着座経路パターンＱを図６（Ａ）に示すように入力して、予め記憶部４３に設定しておく。
【００３０】
詳細には、例えば、乗員１２は日常的に自動車１１の後方から左側方、前方を通るので、室外アンテナ２０は２０Ｅ→２０Ｆ→２０Ｇ→２０Ｈ→２０Ｉ→２０Ｊ→２０Ａの順にカードキー５０の信号を受信する
ここで、各室外アンテナ２０のカードキー５０の信号の受信の有無を２進数で表すと図６（Ｂ）のように示すことができる。カードキー５０の信号を受信する室外アンテナ２０は２０Ｅ、２０Ｆ、２０Ｇ、２０Ｈ、２０Ｉ、２０Ｊ、２０Ａなので、これらの室外アンテナ２０の値を加算することで、図６（Ｃ）のように近接経路パターンを「１０００１１１１１１」と表すことができる。すなわち、近接経路パターンＰは、乗員１２の移動に従ってカードキー５０を検知する室外アンテナ２０を示している。
【００３１】
同様に、着座経路についても、室内アンテナ３０の受信の有無を２進数で表すと図６（Ｄ）となり、例えばカードキー５０の信号を受信する室内アンテナ３０は３０Ｎ、３０Ｋなので、これらの室内アンテナ３０の値を加算して図６（Ｅ）のように表すことができ、これを着座経路パターンＱとしている。なお、運転する乗員１２は最終的に必ず運転席に着座するため、着座経路パターンＱは必ず運転席付近に設けた室内アンテナ３０Ｋを含むものとする。
なお、図６では室外アンテナ２０Ａ〜２０ＪをＡ〜Ｊと表示し、室内アンテナ３０Ｋ〜３０ＮをＫ〜Ｎと表示している。
また、記憶部４３への近接経路パターンＰおよび着座経路パターンＱの設定は、ダイアグノーシス５５ではなく、制御ユニット４０のケース表面に設けた操作スイッチ（図示せず）等を用いて行ってもよい。また、ディーラー等で予め行っていてもよい。
【００３２】
図７に車両用遠隔始動装置１０の動作のフローチャートを示す。
まず、ステップＳ１０に示すように、カードキー５０を携帯する乗員が自動車に近接して、室外アンテナ２０の受信範囲に入ると、カードキー５０の発信する信号を室外アンテナ２０が受信する。
ステップＳ１１では、カードキー５０からの信号に受信する室外アンテナ２０の順序に基づいて、処理部４２が乗員１２の近接経路を検知する。即ち、乗員１２が自動車に近接移動するに従い、カードキー５０の信号を室外アンテナ２０は、２０Ｅ→２０Ｆ→２０Ｇ→２０Ｈ→２０Ｉ→２０Ｊ→２０Ａの順で受信していく。
前述したように、処理部４２は、カードキー５０の信号を受信した室外アンテナ２０を二進数で表し、乗員１２の近接経路「１０００１１１１１１」を検知する。
なお、室外アンテナ２０の通信可能領域Ｒはそれぞれ重なっているので、複数の室外アンテナ２０がカードキー５０の信号を受信することがあるが、処理部４２は最も強い信号を受信した室外アンテナ２０を選択して近接経路とする。
【００３３】
ステップＳ１２では、記憶部４３に記憶させた近接経路パターンＰを処理部４２に読み込んでいる。
ステップＳ１３では、処理部４２は読み込んだ近接経路パターンＰと、検知した近接経路が同一か否かを判定している。同一である場合はＳ１４に進み、同一でない場合はフローチャートを終了する。
ステップＳ１４では、処理部４２は乗員１２が自動車１１を運転する意思があるものと判断し、処理部４２は信号送信部４４に指令を出し、信号送信部４４はドアロック解除機構５２にドアロック５４の解除信号を発信する。
ステップＳ１５では、乗員１２が自動車１１の室内に乗車した場合に、カードキー５０の信号を室内アンテナ３０が受信している。
【００３４】
ステップＳ１６では、処理部４２が着座経路を検知している。例えば、乗員１２が助手席のドアから車内に入り運転席へ移動して乗車していると、室内アンテナ３０は３０Ｎ→３０Ｋの順にカードキー５０の信号を受信するため、この受信した室内アンテナ３０を着座経路として検出する。即ち、着座経路は「１００１」として表される。
ステップＳ１７では、記憶部４３に記憶させた着座経路パターンＱを処理部４２に読み込んでいる。
ステップＳ１８では、処理部４２は読み込んだ着座経路パターンＱと、検知した着座経路が同一か否かを判定している。同一である場合はＳ１９に進み、同一でない場合はフローチャートを終了する。
ステップＳ１９では、検知した着座経路が着座経路パターンＱと同一であるため、処理部４２は乗員１２が自動車１１を運転する意思があるものと判断し、処理部４２は信号送信部４４に指令を出し、信号送信部４４はエンジン始動機構５１にエンジン５３の始動信号を発信する。
【００３５】
さらに、前記のように近接経路パターンＰと着座経路パターンＱを乗員が予め設定するだけでなく、あるいは予め設定したパターンと異なるパターンをとる場合に、処理部４２の学習機能で、近接経路パターンＰおよび着座経路パターンＱとを設定および変更できるようにしている。
【００３６】
即ち、処理部４２は検知した近接経路および着座経路を、検知するたびに記憶部４３に記憶していく。この記憶した過去の近接経路のうち、同一の近接経路であって、既に記憶部４３に設定されている近接経路パターンＰと異なる近接経路が所定回数以上含まれている場合には、該近接経路を新たな近接経路パターンＰとして記憶部４３に設定する。
例えば、直近に検知した近接経路１０回分のうち、７回以上同じ近接経路で乗員１２が自動車１１に近接した場合、該近接経路を新たな近接経路パターンＰとして記憶部４３に設定する。
【００３７】
本実施形態によれば、乗員１２の所持するカードキー５０の信号を室内アンテナ３０と室外アンテナ２０で受信し、自動車１１への近接経路および着座経路を検知し、検出した近接経路や着座経路が予め定めた近接経路パターンＰおよび着座経路パターンＱと一致する場合には、乗員１２に自動車１１の運転意思があると判断し、エンジン５３を自動で始動させている。乗員１２は自らイグニッションキーやボタン等を操作してエンジン５３を始動させる必要がなく、またドアロック５４の解除を行う必要がないため、操作の手間を省くことができる。
【００３８】
なお、本実施形態では着座経路の例として助手席から運転席に移動可能な自動車１１を考えたが、自動車１１のドアが１つしかない等必ず運転席側のドアから乗車する自動車１１に本発明を適用する場合には、室内アンテナ３０を運転席近傍にのみ設けてもよい。即ち、室内には運転席近傍の室内アンテナ３０Ｋのみを設け、着座経路として室内アンテナ３０Ｋがカードキー５０の信号を受信したか否かだけを検知する。室内アンテナ３０が乗員１２を検知すると、処理部４２はエンジン５３を自動で始動させる。
【００３９】
また、本実施形態では記憶部４３に予め近接経路パターンＰおよび着座経路パターンＱを設定すると共に処理部４２に学習機能を備えているが、記憶部４３には予め近接経路パターンＰおよび着座経路パターンＱを設定せず、学習機能により近接経路パターンＰおよび着座経路パターンＱを設定してもよい。この場合、学習機能は近接経路および着座経路を複数回検知することが必要であるため、近接経路パターンＰおよび着座経路パターンＱが記憶部４３に設定されるまでは、乗員１２が手動でドアロック５４の解除およびエンジン５３の始動を行うこととなる。
【００４０】
さらに、本実施形態では、複数の室外アンテナ２０および室内アンテナ３０がカードキー５０の信号を受信した場合に、処理部４２は最も強い信号を受信した室外アンテナ２０を選択して近接経路としているが、複数の室外アンテナ２０および室内アンテナ３０がカードキー５０の信号を受信したことを反映させる近接経路の設定としてもよい。
【００４１】
例えば、室外アンテナ２０Ｊと２０Ａの両方がカードキー５０の信号を受信する場合、図６（Ｂ）を用いて、この状態を２０Ｊ＋２０Ａ＝１００００００００１で表すとする。室外アンテナ２０のカードキー５０の信号受信が２０Ｅ→２０Ｆ→２０Ｇ→２０Ｈ→２０Ｉ→２０Ｊ＋２０Ａ→２０Ａであれば、各室外アンテナ２０の状態を１０進数に直し、Ｘ＝（３２、１６、８、４、２、５１３、１）と表せる。
該Ｘを近接経路パターンＰとし，Ｙを検知した近接経路とすると、｜Ｘ−Ｙ｜２（各要素ごとに減算して二乗和をとる）を計算する。該計算の結果が０のときに検知した近接経路（Ｙ）と近接経路パターンＰ（Ｘ）が一致したとみなすことができ、ドアロック５４の解除を行うことができる。着座経路と着座経路パターンＱにおいても同様である。
【００４２】
この場合、処理部４２での学習は検知した近接経路（Ｙ）を用いて、式（１）を行い新規に計算した近接経路パターンＰ（Ｘ）を記憶部４３に設定すればよい。なお、βは０．１程度が好ましい。
Ｘ（新規の近接経路パターンＰ）＝α・Ｘ（近接経路パターンＰ）＋β・Ｙ（検知した近接経路）（ただし、α＋β＝１）・・・式（１）
【００４３】
図８乃至図１１は本発明の第２実施形態を示す。
１台の自動車１１を複数の乗員１２が運転する場合、乗員１２ごとに異なるＩＤを有するカードキー５０を所持しており、該カードキー５０は室外アンテナ２０および室内アンテナ３０との信号の送受信の際に、カードキー５０のＩＤも同時に送信している。また、乗員１２によって自動車１１に近接する経路が異なっている。
本実施形態では３人の乗員１２Ａ〜１２ＣがそれぞれＩＤ１、ＩＤ２、ＩＤ３のカードキー５０Ａ〜５０Ｃを所持しており、例えば図８および図９に示すように、乗員１２Ａは第１実施形態と同様の近接経路および着座経路とし、乗員１２Ｂは自動車１１の後方から右側方を通って運転席に乗車し、乗員１２Ｃは右前方から前方を通って運転席に乗車している。
前記制御ユニット４０の記憶部４３は、図１０に示すように、カードキー５０のＩＤ１〜ＩＤ３に対応する乗員１２の近接経路パターンＰおよび着座経路パターンＱを示した表Ｔを記憶している。
【００４４】
第２実施形態の車両用遠隔始動装置１０の動作を図１１に示す。
ステップＳ２１では室外アンテナ２０がカードキー５０の発信する信号を受信すると共に、カードキー５０のＩＤも受信している。
ステップＳ１１で近接経路を検知した後、ステップＳ２２で、記憶部４３に記憶された表Ｔからカードキー５０のＩＤに応じた近接経路パターンＰを読み出す。
ステップＳ１３、ステップＳ１４は第１実施形態と同様であり、近接経路パターンＰと近接経路を比較して、一致すればドアロック５４の解除信号を発信する。
【００４５】
さらに、ステップＳ２３では、室内アンテナ３０がカードキー５０の発信する信号を受信すると共に、カードキー５０のＩＤも受信している。なお、本ステップではＩＤを受信せず、ステップＳ２１で受信したＩＤを用いてもよい。
ステップＳ１６で着座経路を検知した後、ステップＳ２４で記憶部４３に記憶された表Ｔからカードキー５０のＩＤに応じた着座経路パターンＱを読み出す。
ステップＳ１８、ステップＳ１９は第１実施形態と同様であり、着座経路パターンＱと着座経路を比較して、一致すればエンジン５３の始動信号を発信する。
【００４６】
本実施形態によれば、複数の乗員１２が、乗員１２ごとに異なる近接経路および着座経路で自動車１１に近接しても、各乗員１２の近接経路として記憶された近接経路パターンＰおよび着座経路パターンＱを記憶部４３から読み出して乗員１２の近接経路および着座経路を比較することができる。
なお、他の構成および作用効果は第１実施形態と同様のため、同一の符号を付して説明を省略する。
【００４７】
また、第２実施形態ではカードキー５０が備えるＩＤを用いて乗員１２の特定を行っているが、ＩＣカード化した運転免許証（図示せず）が備えるＩＤ情報を用いてもよい。カードキー５０に運転免許証の差込口を設け、該差込口に運転免許証を差し込むことで運転免許証のＩＤ情報をカードキー５０が読み取る。携帯機と室外アンテナ２０および室内アンテナ３０が無線通信して近接経路等の検出を行う際に、ＩＣカード化した運転免許証に記載されたＩＤ情報も同時に送信することで、制御ユニット４０は乗員１２の特定を行い、各乗員１２の近接経路として記憶された近接経路パターン等と乗員の近接経路等を比較することができる。
【００４８】
図１２および図１３は本発明の第３実施形態を示す。
乗員１２は携帯機としてカードキー５０とともに携帯電話５６を所持している。また、自動車１１の屋根部に携帯電話識別アンテナ２１を設けており、該携帯電話識別アンテナ２１は制御ユニット４０の送受信部４１と接続している。また、記憶部４３には、各乗員１２の所持する携帯電話５６の識別ＩＤにそれぞれ対応する乗員１２の近接経路パターンＰおよび着座経路パターンＱを示した、図１０と同様の表Ｔを記憶している。
乗員１２が所有する携帯電話５６の電波を携帯電話識別アンテナ２１で受信することで、処理部４２は各携帯電話５６の識別ＩＤを取得し、記憶部４３に記憶された表Ｔから携帯電話５６のＩＤに応じた近接経路パターンＰを読み出す。
本実施形態であっても、各乗員１２の近接経路として記憶された近接経路パターンＰおよび着座経路パターンＱと、室外アンテナ２０等で検知した近接経路および着座経路を比較することができる。
なお、他の構成および作用効果は第２実施形態と同様のため、同一の符号を付して説明を省略する。
【００４９】
図１４は本発明の第４実施形態を示す。
第１実施形態では、室外アンテナ２０等で検知した近接経路および着座経路と予め設定した近接経路パターンＰおよび着座経路パターンＱが一致した場合に、乗員１２に運転意思があるとしてドアロック５４の解除とエンジン５３の始動を行っていたが、第４実施形態では乗員１２の近接経路および着座経路が近接経路パターンＰ及び着座経路パターンＱと完全に一致しなくても、近接経路パターンＰ及び着座経路パターンＱに近い経路であれば、乗員１２に運転意思があると判断している。
【００５０】
室外アンテナ２０等で検知した近接経路および着座経路と、記憶部４３に設定した近接経路パターンＰ及び着座経路パターンＱとの比較判定の方法を説明する。
まず、各室外アンテナ２０（２０Ａ〜２０Ｊ）を例えば図１４（Ａ）のようなベクトルで表す。各室外アンテナ２０には適宜数字を割り当てており、隣り合うように配置された室外アンテナ２０は、割り当てた数字の差が小さくなるようにし、遠くに配置された室外アンテナ２０同士では、割り当てた数字の差が大きくなるようにしている。
室外アンテナ２０のカードキー５０の信号受信が２０Ｅ→２０Ｆ→２０Ｇ→２０Ｈ→２０Ｉ→２０Ｊ→２０Ａであれば、各室外アンテナ２０の要素を順に並べ、図１４（Ｂ）と表し、記憶部４３にはＸを近接経路パターンＰとして設定する。
【００５１】
また、処理部４２では室外アンテナ２０で検知した近接経路をＸと同様にＹとして表すと共に、近接経路パターンＰ（Ｘ）を記憶部４３から読み出し、｜Ｘ−Ｙ｜２（各要素ごとに減算して二乗和をとる）を計算する。該計算の結果が所定の閾値以下の場合には、近接経路（Ｙ）は近接経路パターンＰ（Ｘ）と経路が近いと判断してドアロック５４の解除等を行う。閾値の設定により、近さの判定基準を変化させることができる。
なお、着座経路と着座経路パターンＱについても、同様の方法で判定を行うことができる。
【００５２】
乗員１２の自動車１１への近接経路および着座経路は毎回完全に同じではなく、自動車１１から多少離れた経路を歩いたりまた近い経路を歩いたりすることで、カードキー５０の信号を受信する室外アンテナ２０及び室内アンテナ３０にずれが生じる場合がある。本実施形態によれば、室外アンテナ２０及び室内アンテナ３０が検知した近接経路および着座経路が、近接経路パターンＰ及び着座経路パターンＱと完全に一致しなくても乗員１２に運転意思があると判断しているので、乗員１２の自動車１１への近接経路等の検知時に多少のずれが生じても、エンジン５３始動やドアロック５４の解除を行うことができる。
なお、他の構成および作用効果は第１実施形態と同様のため、同一の符号を付して説明を省略する。
【図面の簡単な説明】
【００５３】
【図１】本発明の車両用遠隔始動装置の第１実施形態の室外アンテナの取り付け図である。
【図２】室内アンテナの取り付け図である。
【図３】車両用遠隔始動装置の構成を示すブロック図である。
【図４】乗員の近接経路を示す図である。
【図５】乗員の着座経路を示す図である。
【図６】近接経路パターンおよび着座経路パターンの説明図である。
【図７】車両用遠隔始動装置の動作を示すフローチャートである。
【図８】第２実施形態の乗員の近接経路を示す図である。
【図９】第２実施形態の乗員の着座経路を示す図である。
【図１０】近接経路パターンおよび着座経路パターンの説明図である。
【図１１】車両用遠隔始動装置の動作を示すフローチャートである。
【図１２】第３実施形態の室内アンテナおよび携帯電話識別アンテナの取り付け図である。
【図１３】第３実施形態の構成を示すブロック図である。
【図１４】第４実施形態の説明図である。
【符号の説明】
【００５４】
１０  車両用遠隔始動装置
１１  自動車
２０（２０Ａ〜２０Ｉ）  室外アンテナ
３０（３０Ｋ〜３０Ｎ）  室内アンテナ
４０  制御ユニット
４２  処理部
４３  記憶部
４４  信号送信部
５０  カードキー
５１  エンジン始動機構
５２  ドアロック解除機構
５６  携帯電話
Ｐ  近接経路パターン
Ｑ  着座経路パターン
【図１】
2008190457.tif 000003
【図２】
2008190457.tif 000004
【図３】
2008190457.tif 000005
【図４】
2008190457.tif 000006
【図５】
2008190457.tif 000007
【図６】
2008190457.tif 000008
【図７】
2008190457.tif 000009
【図８】
2008190457.tif 000010
【図９】
2008190457.tif 000011
【図１０】
2008190457.tif 000012
【図１１】
2008190457.tif 000013
【図１２】
2008190457.tif 000014
【図１３】
2008190457.tif 000015
【図１４】
2008190457.tif 000016